(57)【要約】【課題】  患者情報を眼科検査装置に入力し表示手段へ表示し検査者に提示する際、表示できない文字コードを画像化して視認できるようにする。【解決手段】  患者情報が記憶された患者情報記憶媒体と、該患者情報記憶媒体の情報を入力する入力手段とを有する被検者の眼科的検査情報を測定または撮影する検査手段と、前記入力手段から入力した患者情報および前記検査手段で得た検査情報を表示する表示手段を有する眼科検査装置と、患者情報を入力し画像情報に変換する変換装置から構成され、前記検査装置は前記入力手段から入力した患者情報を解析する解析手段と解析手段からの出力を前記変換手段へ送信する送信手段と、前記変換手段で画像情報に変換された患者情報を受信する受信手段と、該受信手段からの画像情報を前記表示手段に表示する制御手段とから構成されている。【選択図】  図１
2005095456.tif 000002
【特許請求の範囲】
【請求項１】
患者情報が記憶された患者情報記憶媒体と、該患者情報記憶媒体の情報を入力する入力手段とを有する被検者の眼科的検査情報を測定または撮影する検査手段と、前記入力手段から入力した患者情報および前記検査手段で得た検査情報を表示する表示手段を有する眼科検査装置と、患者情報を入力し画像情報に変換する変換装置から構成され、
前記検査装置は前記入力手段から入力した患者情報を解析する解析手段と解析手段からの出力を前記変換手段へ送信する送信手段と、前記変換手段で画像情報に変換された患者情報を受信する受信手段と、該受信手段からの画像情報を前記表示手段に表示する制御手段とを具備することを特徴とする眼科検査システム。
【請求項２】
前記解析手段は、前記入力した患者情報のうち前記表示手段で直接表示できない情報を選別する選別手段を有することを特徴とする眼科検査システム。
【請求項３】
前記送信手段は、前記解析手段からの出力を送信する際に、前記表示手段の表示領域情報を付加して送信することを特徴とする眼科検査システム。
【請求項４】
前記患者情報は文字コードから構成されることを特徴とする眼科検査システム。
【請求項５】
前記変換手段は文字コードを解析し視認可能な画像に変換する機能を有することを特徴とする眼科検査システム。
【発明の詳細な説明】
【技術分野】
【０００１】
本発明は、病院、人間ドックなどにおいて使われる眼科検査装置に関するもので、特に患者情報の入力確認処理の改良に関する。
【背景技術】
【０００２】
従来、眼底カメラ、眼屈折計などの眼科検査装置において検査を開始するに当り、検査者は先ず患者情報を確認しその情報と患者とが一致しているか確認してから検査を行なう。これは検査結果を元に診断する上で非常に重要な作業である。検査が終わるとその検査結果を検診表などに記入したり、或いは検査結果が印刷されたものであればそれを検診表などに貼り付けていたが、検査結果を電子化する要求が増えるにしたがって検査装置の結果出力ポートを検査データ管理システムに接続し、検査結果をＲＳ２３２Ｃなどで送るようになった。この場合でも患者情報は検査装置が連番で発生するシリアル番号を代用したり、検査装置に接続した１０キーボードから入力していた。眼底カメラでは撮影した眼底画像をキャプチャーするために眼底カメラの横にパソコンを設置しパソコンに眼底カメラに接続したＴＶカメラの信号を接続しパソコンで画像をキャプチャーしパソコンのキーボードから患者情報を入力していた。
【０００３】
例えば、患者情報を入力するための提案として特開平０９−３１３４４４がある。これは眼底カメラの横にコンピュータを設置して眼底カメラからの眼底画像を、ケーブルを介してコンピュータに接続し画像ファイリングを行なっていたが、眼底カメラのほかにコンピュータの設置スペースが必要になる問題と、眼底カメラとコンピュータ間のケーブルが複雑になる問題と、双方がケーブルで接続されているので自由に持ち運びができない問題を解決するための提案で、眼底カメラの基台部にコンピュータを構成している電気的ユニット等を全て内蔵し、モニタは眼底カメラと共通化し患者情報を入力するキーボードを外付けして設置スペース、複雑なケーブル引き回わし、持ち運びの問題を解決することが記載されている。この提案では撮影した画像データと患者情報を関連付けするために外付けしたキーボードから撮影者が患者ＩＤ番号、名前、画角を入力していた。
【０００４】
このように検査者が個々に患者情報や検査情報などを検査機器に装備したキーボードや横に設置したパソコンのキーボードから入力していたが、入力に時間がかかり非効率であることや手動で入力するために誤入力の発生を押さえられないなど重大な欠点がある。更に検査結果を統計的に管理するようになり検査を行なうときに様々な患者に関する情報を入力するようになってきたため、より煩雑なキーボード操作などできない状況になって来ている。そのために磁気カードやバーコード、２次元バーコード、ＩＣカードなど病院や人間ドックなど、それぞれのシステムに応じて色々な患者情報記憶媒体が使われるようになってきた。
【発明の開示】
【発明が解決しようとする課題】
【０００５】
これらの情報記録媒体は読み取り装置が必要になる。例えば磁気カードであれば磁気カードリーダなどそれぞれの記録媒体専用のリーダ装置が必要である。リーダ装置で記録されているバイト情報を読み取り、そのバイト情報を解析してどの位置のバイト列が患者ＩＤでどの位置のバイト列が患者名に当るかなどを判別しさらにそれら個々のバイト列がどの文字コードで書かれているか認識しなければならない。
【０００６】
また、磁気カードなどの記録媒体にはどんな文字コードでも記録が可能であり、複数の文字コードが混在して使われる場合もある。例えば、検査番号はＪＩＳ−Ｘ０２０１が、患者ＩＤはシフトＪＩＳ、患者名はＵＮＩＣＯＤＥのようなこともある。文字コード自体はバイト列の組み合わせ（１、２、３バイト文字が一般的である）であるが、文字を表示させるには文字コード種類を識別し文字コードに応じたフォントを生成して表示手段へ表示させる必要がある。また人名に多く使われる非標準漢字は外字として個別に外字フォントを追加しなければならない。
【０００７】
検査装置でこのような処理を行なわせる場合文字処理機能が組み込まれたパソコンを使うのが一般的であり上記で説明したように、１番目は検査装置内にパソコン機能を組み込み、組み込んだパソコンにリーダ装置を接続する方法で、２番目が検査装置とは別にパソコンを設置してリーダ装置をパソコンに接続する方法である。
【０００８】
１番目の方法ではスペースや配線の問題は解消するが、パソコン動作に必要な構成ユニットが必要になるためハードコストがアップする。また検査装置毎に患者情報処理ソフトが必要になるため患者情報の内容が変更された場合の変更費用が大きくなる欠点がある。
【０００９】
２番目の方法ではスペースの問題とパソコンの操作が余計に必要になる運用上の問題がある。検査装置毎にパソコンが必要になるためコスト面での問題もある。パソコンを検査装置ごとに使うため維持管理費用もかかる。患者情報の内容が変更された場合も全てのパソコンに対して変更が必要になりそれらの維持管理費用もかかる欠点もある。
【００１０】
本発明は上記事情に鑑みてなされたものであり、設置スペースの問題、検査装置のコストアップを最小限に押さえ、しかも患者情報の内容が変更された場合も維持管理費用を最小限に押さえることのできるシステムを提供することを目的としている。
【課題を解決するための手段】
【００１１】
本発明の眼科検査システムでは、患者情報が記憶された患者情報記憶媒体と、該患者情報記憶媒体の情報を入力する入力手段とを有する被検者の眼科的検査情報を測定または撮影する検査手段と、前記入力手段から入力した患者情報および前記検査手段で得た検査情報を表示する表示手段を有する眼科検査装置と、患者情報を入力し画像情報に変換する変換装置から構成され、前記検査装置は前記入力手段から入力した患者情報のうち前記表示手段で表示できない情報を選別して前記変換手段へ送信する送信手段と、前記変換手段で画像情報に変換された患者情報を受信する受信手段と、該受信手段からの画像情報を前記表示手段に表示する制御手段とを具備することを特徴とする。
【発明の効果】
【００１２】
実施例１において詳述したように、本発明のシステムでは患者情報記憶媒体に複雑な文字コードが使われている環境において検査装置から患者情報を入力して患者情報を正しく表示できて判別可能になる。更に患者情報変換装置を外部に設け複数の検査装置で共有する構成にしたので各検査装置を含めたシステムを安価に構築できる。またシステム運用上で文字コードを変更する場合においても患者情報変換装置内の文字情報データベースを更新するだけで済むため維持管理コストを削減できる効果がある。
【発明を実施するための最良の形態】
【００１３】
（実施例１）
以下、本発明の実施例１を図１〜図３を使って詳細に説明する。
【００１４】
本発明を図示の実施例１に基づいて詳細に説明する。図１は全体構成を示すブロック図である。１ａ、２ａ、３ａ、４ａは患者情報入力制御部、２ａ、２ｂ、２ｃ、２ｄは眼科検査装置で眼底カメラ、眼屈折計、無接触眼圧計、自動視力計である。３ａ、３ｂ、３ｃ、３ｄは磁気カードリーダ（患者情報が記憶された媒体であり、ＩＣカードやバーコード、ファイルなどでもよい）、４は患者情報変換装置、５は検査情報データベースである。それぞれのブロック間の動作について説明する。以下患者情報が磁気カードに書き込まれる場合について説明する。検査を行なうに当り患者は受付などに発行された例えば磁気カードを持って色々な検査を順次受けて回る。図１では先ず眼底カメラ２ａのところで検査者に磁気カードを渡すと、検査者はその磁気カードを磁気カードリーダ３ａに入力すると書き込まれた情報が読み出されを患者情報入力制御部１ａに入力され解析されてからその情報の一部は外部に設置された患者情報変換装置４へ送られる。患者情報変換装置４では受信した情報を処理して文字コードに変換し送られた眼底カメラ２ａで表示できるような情報に変換して送信元へ戻す。その情報を患者情報入力制御部１ａが受信して眼底カメラ２ａの表示部に表示する。操作者はその表示を元にして患者を確認し眼底撮影を行なう。撮影後画像の良否を判断し検査を終了する。撮影した画像は患者情報と共に検査情報データベース５へ送られデータベースで管理される。患者は磁気カードを受け取り次の検査である眼屈折計２ｂへ移動する。この検査でも同様に操作者は磁気カードを磁気カードリーダ３ｂに入力する。磁気カードリーダ３ｂからの情報は眼屈折計２ｂ内の患者情報入力制御部１ｂを経て患者情報変換装置４で変換されてその結果が眼屈折計２ｂの表示部に表示される。検査者はこの表示を見て患者を本人であることを確認し眼屈折測定を行なう。測定結果は患者情報と共に検査情報データベース５へ送られデータベースで管理される。同様に無接触眼圧計２ｃや自動視力計２ｄで検査を行なう。
【００１５】
図２は患者情報入力制御部１ａ（１ｂ−１ｄ）と患者情報変換装置４と詳細なブロック図である。患者情報入力制御部は、眼検査部１１、検査処理制御部１２、文字情報発生部１３、表示部１４、磁気カード１５、入力部１６、解析部１７、表示属性情報部１８、検査機器ＩＤ情報部１９、データ結合部２０、送信部２１、受信部２２から構成される。患者情報変換装置４は受信部３１、記憶部３２、文字コード処理部３３、文字情報ＤＢ３４、患者情報生成部３５、送信部３６から構成されている。
【００１６】
眼検査部１１は眼底カメラでは、眼底照明系、眼底撮影系などの光学系と照明された眼底像を撮像する撮像ユニットなどから構成される。眼屈折計では測定指標投影光学系、観察光学系、固視標光学系、眼底からの反射指標受光系などから構成される。検査処理制御部１２は検査に関わる機器の制御や検査結果を演算したり撮像した画像を補正したりする制御を行なう。検査処理制御部１２からの結果を文字情報に変換したり撮像した画像に日時情報や操作メニューなどの文字を重ね合わせる処理を文字情報発生部１３が行ない、その出力を表示部１４で表示する。
【００１７】
磁気カード１５を入力部１６で読み取るとその出力はバイト列で出力される。この段階では唯のバイトコードで患者情報としては認識されない。解析を行なうのが解析部１７である。予めバイト列のどの位置の何バイト分がどんな情報であるかは図示しない設定部から設定してあるので、各情報ごとにバイト列を切り分けする。次に文字情報発生部で表示可能な文字コードであるかどうか判別を行なう。検査装置自身で表示可能な情報は検査処理制御部１２へ送られる。本体では表示できない文字コードは次段へ送られ表示属性情報部１８からの情報と検査機器ＩＤ情報部１９とのコードを結合部２０で結合され送信部２１から患者情報変換装置４へ送信する。表示属性情報部１８は自身の表示部で表示できる形式を示すコードを出力する。例えば患者名情報を表示する範囲が縦横２０Ｘ１００ドットでビットマップで表示位置が「１２０、６０」の場合「２０、１００、ＢＭＰ、１２０、６０」を出力する。検査機器ＩＤ情報部１９は複数の検査機器が使われる場合、区別するためのコードで事前に割り当てておく。例えば１号機なら「００１」となり、これらを結合すると「００１、２０、１００、ＢＭＰ、１２０、６０、ＸＸＸＸＸＸ・・・ＸＸＸＸＸ」のようになる。「ＸＸＸＸＸＸ・・・ＸＸＸＸＸ」は検査機器では表示できない文字コードである。
【００１８】
患者情報変換装置４では患者情報入力制御部の送信部２１から送られた情報を受信部３１で受信し記憶部３２に一次記憶しておく。文字コードは文字コード処理部３３および文字情報ＤＢ３４で解析され文字情報として判別されて表示属性情報を元に患者情報生成部３５で画像情報に変換され送信部３６から記憶部３２で記憶された検査機器ＩＤおよび表示属性情報を付加して送信される。
【００１９】
この情報は、患者情報入力制御部の受信部２２で自身の検査機器ＩＤと一致していれば取り込まれる。付加された表示位置情報を元に表示部１４へ変換された画像を表示する。
【００２０】
検査者はこれら処理の結果、表示部１４から磁気カード１５に書き込まれた患者情報を確認できるため眼底撮影や眼屈折検査を行なうことができる。
【００２１】
図３は眼屈折計で患者情報を表示する際の例であり、図３（ａ）は磁気カードから患者情報を読み込み書き込まれた情報から検査装置で表示可能な文字コードを表示させた図である。図３（ｂ）は患者情報変換装置４からの情報によって患者名を漢字で表示させた図であり実際の装置では（ａ）が表示されることはない。図３（ａ）で「ｘ０、ｙ０」は変換した情報の表位置（座標）で「ｄｘ、ｄｙ」は表示範囲である。
【００２２】
図４は眼底カメラの表示画面の例で磁気カードを入力すると（ｂ）を表示し、患者名と既往歴が表示された例である。（ｃ）は眼底撮影結果の表示で（ｄ）は検査終了時に画像と患者情報を重ね合わせて表示させた状態を示している。（ａ）は変換する位置と範囲を説明した図である。これ例では患者名と既往歴の２つの情報を表示するため表示位置が「ｘ０、ｙ０」と「ｘ０、ｙ１」で、表示範囲は「ｄｘ、ｄｙ」と「ｄｘ、ｄｙ」となる。
【図面の簡単な説明】
【００２３】
【図１】全体構成を示すブロック図。
【図２】患者情報入力制御部と患者情報変換装置の詳細なブロック図。
【図３】眼屈折計で患者情報を表示する際の表示画面の説明図。
【図４】眼底カメラで患者情報を表示する際の表示画面の説明図。
【符号の説明】
【００２４】
１ａ、２ａ、３ａ、４ａ  患者情報入力制御部
２ａ、２ｂ、２ｃ、２ｄ  眼科検査装置
３ａ、３ｂ、３ｃ、３ｄ  磁気カードリーダ
４  患者情報変換装置
５  検査情報データベース
１１  眼検査部
１４  表示部
１７  解析部
２１  送信部
２２  受信部
３３  文字コード処理部
【図１】
2005095456.tif 000003
【図２】
2005095456.tif 000004
【図３】
2005095456.tif 000005
【図４】
2005095456.tif 000006